(57)【要約】【課題】洗浄体と、洗浄体を支持する柄との連結に要する製作工数が少なく、洗浄体の洗浄面全体に効率良く力が伝達できる首振りクリーナの提供。【解決手段】洗浄体１と、洗浄体１を支持する柄２と、一面に洗浄体１を接着した接着板７ａ、及び接着板７ａの他面に突設され、柄２の一端部に枢支された半球（首振り部）７ｂによって構成された首振り部材７とを備えた。また、接着板７ａは、柄２よりも先端側に形成された先端部７ｃを備え、先端部７ｃの先端側を尖鋭状に形成した。【選択図】　　　　図２
2004105307.tif 000002
【特許請求の範囲】
【請求項１】
洗浄体と、該洗浄体を支持する柄と、前記洗浄体及び柄の間に介装されており、前記柄の一端部に枢支された首振り部を有する首振り部材とを備える首振りクリーナにおいて、
前記首振り部材は、一面に前記洗浄体を接着した接着板の他面に前記首振り部を突設したことを特徴とする首振りクリーナ。
【請求項２】
前記接着板は、前記柄よりも先端側に形成された先端部を備えることを特徴とする請求項１に記載の首振りクリーナ。
【請求項３】
前記先端部は先端側を尖鋭状に形成されていることを特徴とする請求項２に記載の首振りクリーナ。
【発明の詳細な説明】
【０００１】
【発明の属する技術分野】
本発明は、洗浄体が柄に対して首振り可能に支持された首振りクリーナに関する。
【０００２】
【従来の技術】
車両の側面、屋根、浴室の壁及び天井等、手の届く高さから届きにくい、又は届かない高さまで、様々な高さの所を洗浄できるように、スポンジに伸縮自在の柄が付けられた長さ調節が可能なクリーナが従来からある。このようなクリーナにおいて、スポンジが柄の先端に固定されている場合、洗浄しようとする面の向きによっては、非常に洗いにくいという問題があった。
【０００３】
そこで、この問題を解決すべく、本願出願人は、洗浄体と、洗浄体を支持する柄、及び柄の長さ方向に対する洗浄体の洗浄面の角度を変更可能とした首振り機構により構成される支持部材とを備える首振りクリーナを発明し、特許出願している（特許文献１参照）。
【０００４】
図４は、特許文献１に記載された首振りクリーナの洗浄体及び支持部材を示す背面図である。図において１０はスポンジを用いてなる洗浄体を表し、洗浄体１０は、一つの角を鋭角に形成した五角形とし、適宜の厚さを有している。この五角形の一面を洗浄面とし、他面の略中央には、楕円形とした平面の中心部に凹部を有しており、その周面に洗浄体１を固定するための歯を複数突設した保持部２０ｄが、洗浄体１０の鋭角に対向する辺に略直交する方向と長径方向とを合わせるように、かつ、凹部を有する平面を露出させて埋設されている。凹部を構成する側面の内、長径方向と略同じ方向とされた対向する２つの側面は、楕円形とした平面に略直交する方向に形成されており、この側面夫々には、この側面に略直交する方向に、かつ、夫々の開口部が対向するように形成された係合孔２０ｅ，２０ｅが設けられている。中空の柄２０ａの長さ方向と直交する方向に、かつ、柄２０ａの一端部の両側に突設された軸２０ｃ，２０ｃが係合孔２０ｅ，２０ｅに回動自在に係合されている。柄２０ａの中途には、伸縮自在の長さ調節用パイプの一端部に突設された係合部材（図示せず）が係合される係合孔２０ｂが形成されている。これらの保持部２０ｄ及び柄２０ａにより支持部材２０が構成されており、支持部材２０は、洗浄体１０の鋭角の部分が首振りクリーナの先端になるように洗浄体１０を支持している。
【０００５】
この首振りクリーナは、柄２０ａの一端部に突設された軸２０ｃ，２０ｃと、軸２０ｃ，２０ｃが回動自在に係合された係合孔２０ｅ，２０ｅとを備えたから、柄２０ａの長さ方向に対する洗浄体１０の洗浄面の角度を変更することができ、車両の屋根、側面、浴室の壁及び天井等、あらゆる向きの面が洗い易いという効果を奏する。
【０００６】
【特許文献１】
特開２０００−１５２８２１号公報（第３頁、第２図）
【０００７】
【発明が解決しようとする課題】
前述の首振りクリーナは、保持部２０ｄを埋設するための穴を洗浄体１０に設け、周面に複数の歯を備える保持部２０ｄを複数の歯が洗浄体１０に噛み込むようにして前記穴に挿入し、洗浄体１０と保持部２０ｄとを固着する必要があるが、前述の首振りクリーナにおいては、より一層の工数削減が望まれていた。
【０００８】
また、洗浄体１０の柄２０ａよりも首振りクリーナの先端側に位置する部分に力が掛かり難く、洗浄しようとする面に洗浄体１０を強く押し付けて洗浄したとき、洗浄体１０の先端側が反り返るように変形し、その変形した部分の洗浄面に効率よく力が伝達されず、洗浄体１０の先端側の洗浄効果が弱いという問題もあった。
【０００９】
本発明は、斯かる事情に鑑みてなされたものであり、洗浄体と、洗浄体を支持する柄との連結に要する製作工数が少ない首振りクリーナを提供することを目的とする。
【００１０】
また、本発明は、洗浄体の洗浄面全体に効率良く力が伝達できる首振りクリーナを提供することを目的とする。
【００１１】
さらに、本発明は、隅部まで効率よく洗浄できる首振りクリーナを提供することを目的とする。
【００１２】
【課題を解決するための手段】
第１発明に係る首振りクリーナは、洗浄体と、該洗浄体を支持する柄と、前記洗浄体及び柄の間に介装されており、前記柄の一端部に枢支された首振り部を有する首振り部材とを備える首振りクリーナにおいて、前記首振り部材は、一面に前記洗浄体を接着した接着板の他面に前記首振り部を突設したことを特徴とする。
【００１３】
第１発明においては、首振り部材の接着板の一面に洗浄体を接着し、首振り部を接着板の他面に突設したから、洗浄体と首振り部材との接着は平面によって行うことができ、洗浄体及び首振り部材を接着するために、洗浄体に首振り部材を接着するための形状を設ける必要がない。
【００１４】
第２発明に係る首振りクリーナにおいては、第１発明における前記接着板は、前記柄よりも先端側に形成された先端部を備えることを特徴とする。
【００１５】
第２発明においては、接着板は、柄よりも先端側に形成された先端部を備えるから、洗浄するとき、洗浄体の先端側にも力を掛け易く、洗浄体の先端側が反り返るように変形することなく洗浄面全体に効率よく力が伝達される。
【００１６】
第３発明に係る首振りクリーナにおいては、第２発明における前記先端部は先端側を尖鋭状に形成されていることを特徴とする。
【００１７】
第３発明においては、先端部は先端側を尖鋭状に形成されているから、壁面の隅部にも洗浄体の先端を当てることができ、隅々まで洗浄し易い。
【００１８】
【発明の実施の形態】
以下、本発明をその実施の形態を示す図面に基づいて詳述する。図１は、本発明に係る首振りクリーナの組立状態の斜視図であり、図２は、本発明に係る首振りクリーナの洗浄体及び柄を示す背面図である。また、図３は、本発明に係る首振りクリーナの洗浄体の回動状態を示す模式図である。
【００１９】
図において１は、スポンジを用いてなる洗浄体を表し、洗浄体１は、一つの角を鋭角に形成した五角形とし、適宜の厚さを有している。この五角形の一面を洗浄面とし、この洗浄面には、適宜の凹凸を規則的に配列して形成してある。洗浄体１は、鋭角の部分が先端となるように、中空としたＡＢＳ樹脂製の柄２の一端部によって支持されている。
【００２０】
洗浄体１の五角形の他面には、平面形状を洗浄面より小さい相似形とした接着板７ａの一面を洗浄面の向きに合わせ、略中央に接着してある。この接着板７ａの他面の略中央には、幅方向の断面がコの字状をした溝を頂点部分に備える半球７ｂが、接着板７ａの鋭角に対向する辺に略直交する方向と前記溝の長さ方向とを合わせて突設されており、接着板７ａと半球７ｂとはＡＢＳ樹脂によって一体成型されている。溝の側面夫々には、この側面に略直交する方向に、かつ、夫々の開口部が対向するように嵌合穴７０，７０が形成されている。嵌合穴７０，７０の開口部の両側には、溝の幅方向に形成された適宜の高さを有するリブ７１，７１が夫々設けられている。柄２の長さ方向と直交する方向に、かつ、柄２の一端部の両側に突設された嵌合軸２ｂ，２ｂが嵌合穴７０，７０に回動自在に嵌合している。柄２は前述の通り、洗浄体１の鋭角の部分を首振りクリーナの先端として洗浄体１を支持しており、接着板の柄２よりも先端側に形成された部分、つまり、接着板の鋭角に形成された部分が先端部７ｃである。また、前記半球７ｂが首振り部であり、この首振り部である半球７ｂと接着板７ａとによって首振り部材７が構成されている。
【００２１】
嵌合軸２ｂ，２ｂが嵌合穴７０，７０に回動自在に嵌合されているため、接着板７ａに接着されている洗浄体１は、嵌合軸２ｂ，２ｂの軸心を中心として回動することができる。回動範囲は、嵌合穴７０，７０の両側に形成されたリブ７１，７１と、柄２の一端部側とが接触する間の範囲とされており、洗浄体１の洗浄面が柄２の長さ方向に略平行となる位置から、洗浄体１の洗浄面が柄２の長さ方向に略直交する位置までの間とされている。
【００２２】
柄２の他端部の端面は開口されており、この開口部分には、アルミパイプ３ａの一端部が内嵌され、アルミパイプ３ａの一端部に突設された係合部材（図示せず）は、柄２の中途に形成された係合孔２ａに係合されている。アルミパイプ３ａの他端部は、アルミパイプ３ｂの開口された一端部に摺動可能に内嵌してあり、アルミパイプ３ｂの他端部は、アルミパイプ３ｃの開口された一端部に摺動可能に内嵌してある。アルミパイプ３ｂの一端部から適長部分は拡径されており、アルミパイプ３ｂがアルミパイプ３ｃの中に完全に嵌まり込まないようにストッパの役割を果たしている。これらのアルミパイプ３ａ，３ｂ，３ｃによって長さ調節用パイプ３が構成されており、長さ調節用パイプ３の伸縮が可能とされている。
【００２３】
長さ調節用パイプ３を、図１中、矢符によって示す方向に伸縮させることにより、最短は９０ｃｍ、最長は１３５ｃｍの２段階の長さに調節することができる。また、柄２を長さ調節用パイプ３から取り外せば、ハンディタイプのクリーナとして使用することもできる。
【００２４】
アルミパイプ３ｃには、一端面がテーパ面とされた環状のテーパ部４ａと、テーパ部４ａの他端面との間に所定の隙間を設けて連設され、テーパ部４ａより大径とした鍔部４ｂと、握り易い適宜の直径を有し、鍔部４ｂに連設されたグリップ部４ｃとを備えたウレタンフォーム製の液だれ防止部材４が、テーパ部４ａを洗浄体１側として巻装されている。
【００２５】
本発明に係る首振りクリーナを上に向けて使用している場合、洗浄体１から柄２及び長さ調節用パイプ３を伝ってきた水及び洗剤等は、液だれ防止部材４を構成するテーパ部４ａのテーパ面を伝って流れの方向が変わり、鍔部４ｂにおいて所定の量が溜ったとき、手元から遠く離れた位置に落下する。よって柄２及び長さ調節用パイプ３を伝ってきた水によって手元が濡れることがない。
【００２６】
アルミパイプ３ｃの他端部は、筒状をなすＡＢＳ樹脂製の把手結合部材５の開口された一端部に内嵌されている。把手結合部材５の他端部には、ＡＢＳ樹脂製の把手部材６が回動自在に連結されており、この把手部材６は、握り易い適宜の直径を有するグリップ部６ａを所定の角度に曲げて形成されたピストル形としてある。なお、グリップ部６ａの表面には、滑り止めのための凹部が複数形成されている。
【００２７】
把手部材６が把手結合部材５に対して回動自在に連結されているから、柄２及び長さ調節用パイプ３の長さ方向を軸心として把手部材６を回転させることができ、回転させることによって洗浄体１の洗浄面を左右に向けることができる。
【００２８】
以上の構成により、本発明に係る首振りクリーナは、接着板７ａの一面に洗浄体１を接着したから、接着板７ａ及び洗浄体１を接着するために多くの工数を必要としない。よって、本発明に係る首振りクリーナは、従来の首振りクリーナに対して製作工数を削減でき、コストダウンにも繋がる。
【００２９】
また、接着板７ａの平面形状を洗浄体１の洗浄面の相似形にすることによって、接着板７ａは、柄２よりも先端側に形成された先端部７ｃを備えたから、洗浄しようとする面に洗浄体１を強く押し付けたとき、洗浄体１の先端側にも力が掛け易く、洗浄体１の先端側が反り返るように変形することなく洗浄面全体に効率良く力が伝達され、洗浄面全体に高い洗浄効果が得られる。
【００３０】
さらに、先端部７ｃは、先端側を尖鋭状に形成されているから、壁面の隅部にも洗浄体１の先端を当てることができ、隅々まで洗浄し易い。
【００３１】
【発明の効果】
以上、詳述したように、第１発明に係る首振りクリーナにおいては、首振り部材の接着板の一面に洗浄体を接着してあり、接着板の他面に首振り部を突設してあるから、洗浄体と首振り部材との接着は平面によって行うことができ、洗浄体と首振り部材とを接着するために、洗浄体に首振り部材を接着するための形状を設ける必要がなく、洗浄体と首振り部材とを接着するための工数が少ない。
【００３２】
また、第２発明に係る首振りクリーナにおいては、接着板は、柄よりも先端側に形成された先端部を備えたから、洗浄するとき、洗浄体の先端側にも力が掛け易く、洗浄体の先端側が反り返るように変形することなく洗浄面全体に効率よく力が伝達され、洗浄面全体に高い洗浄効果が得られる。
【００３３】
さらに、第３発明に係る首振りクリーナにおいては、先端部は先端側を尖鋭状に形成されているから、壁面の隅部にも洗浄体の先端を当てることができ、隅々まで洗浄し易い等、本発明は優れた効果を奏する。
【図面の簡単な説明】
【図１】本発明に係る首振りクリーナの組立状態の斜視図である。
【図２】本発明に係る首振りクリーナの洗浄体及び柄を示す背面図である。
【図３】本発明に係る首振りクリーナの洗浄体の回動状態を示す模式図である。
【図４】特許文献１に記載された首振りクリーナの洗浄体及び支持部材を示す背面図である。
【符号の説明】
１　洗浄体
２　柄
７　首振り部材
７ａ　接着板
７ｂ　半球（首振り部）
７ｃ　先端部
【図１】
2004105307.tif 000003
【図２】
2004105307.tif 000004
【図３】
2004105307.tif 000005
【図４】
2004105307.tif 000006